(57)【要約】      （修正有）【課題】操作が簡単で、プッシュボタンを必要としない携帯型電子デバイスを提供する。【解決手段】手首に取り付けられ、情報を表示できる携帯型電子デバイスであって、携帯型電子デバイスは、可撓性要素で形成されたブレスレット１０と、電子アセンブリ１２と、表示手段１３と、エネルギ源と、制御手段１５とを含み、制御手段１５は少なくとも１つの歪みゲージ１５０を含み、歪みゲージ１５０に圧力を印加することによって、電子アセンブリ１２に印加される制御信号を生成でき、歪みゲージ１５０に対する圧力の方向及び位置により、情報の表示及び／又は所定の機能の起動を行うことができる。【選択図】図１
2016017960.tif 000002
【特許請求の範囲】
【請求項１】
少なくとも１つの情報を表示できる携帯型電子デバイス（１）であって、
前記電子デバイス（１）はユーザの身体の一部分、特に手首に取り付けることができ、
前記電子デバイス（１）は：
−基部（１００）を有する半剛性本体で形成された、ブレスレット又はストラップ（１０）；
−電子アセンブリ（１２）；
−少なくとも１つの情報を表示するための表示手段（１３）；
−前記電子アセンブリ及び前記表示手段に給電するためのエネルギ源
を含む、携帯型電子デバイス（１）であって、
前記携帯型電子デバイス（１）は制御手段（１５）を含み、前記制御手段（１５）は少なくとも１つの歪みゲージ（１５０）を含み、前記歪みゲージ（１５０）に圧力を印加することによって、前記電子アセンブリ（１２）に印加される制御信号を生成でき、前記歪みゲージ（１５０）に対する前記圧力の方向及び位置により、情報の表示及び／又は所定の機能の起動を行うことができることを特徴とする、携帯型電子デバイス（１）。
【請求項２】
前記ブレスレット（１０）は単一部品であり、円形であり、少なくとも１つの中央部分と２つの側部とを有する、請求項１に記載の携帯型電子デバイス（１）。
【請求項３】
前記制御手段は、少なくとも２つの前記歪みゲージ（１５０、１５１）を含む、請求項１又は２に記載の携帯型電子デバイス（１）。
【請求項４】
前記ブレスレット（１０）の各側部に１つの前記歪みゲージ（１５０、１５１）が配置される、請求項１〜３のいずれか１項に記載の携帯型電子デバイス（１）。
【請求項５】
前記ブレスレット（１０）の前記少なくとも１つの中央部分に、歪みゲージ（１５２）が配置される、請求項１〜４のいずれか１項に記載の携帯型電子デバイス（１）。
【請求項６】
前記電子アセンブリ（１２）は、少なくとも１つの前記歪みゲージ（１５０、１５１、１５２）又は複数の前記歪みゲージのセットに印加される、短い押圧と長い押圧とを区別する、請求項１〜５のいずれか１項に記載の携帯型電子デバイス（１）。
【請求項７】
前記電子アセンブリ（１２）は、少なくとも１つの前記歪みゲージ（１５０、１５１、１５２）又は複数の前記歪みゲージのセットに印加される前記圧力を検出する、請求項１〜６のいずれか１項に記載の携帯型電子デバイス（１）。
【請求項８】
所望の機能の確認及び／又は検証は、前記歪みゲージ（１５０、１５１、１５２）のうちの１つを押圧することによって達成される、請求項１〜７のいずれか１項に記載の携帯型電子デバイス（１）。
【請求項９】
特に時刻の設定中に、少なくとも１つの前記歪みゲージ（１５０、１５１、１５２）又は複数の前記歪みゲージのセットに印加される前記圧力に応じて、時表示がある程度迅速にスクロールされる、請求項１〜８のいずれか１項に記載の携帯型電子デバイス（１）。
【請求項１０】
前記歪みゲージ（１５０、１５１、１５２）に対する短い押圧はクロノメータの起動に対応し、同一の前記歪みゲージ（１５０、１５１、１５２）に対する別の押圧は前記クロノメータを停止させる、請求項１〜９のいずれか１項に記載の携帯型電子デバイス（１）。
【請求項１１】
２つの前記歪みゲージ（１５０、１５１、１５２）に対する垂直方向の長い押圧によって、アラーム時刻を選択できる、請求項１〜１０のいずれか１項に記載の携帯型電子デバイス（１）。
【請求項１２】
２つの前記歪みゲージ（１５０、１５１、１５２）に対する水平方向の長い押圧によって、前記電子デバイス（１）を起動させることができる、請求項１〜１１のいずれか１項に記載の携帯型電子デバイス（１）。
【発明の詳細な説明】
【技術分野】
【０００１】
本発明は、少なくとも１つの情報を表示できる携帯型電子デバイスに関し、より詳細には腕時計等の携帯型電子デバイスに関する。
【背景技術】
【０００２】
一般に、このようなデバイスは、空間要件を低減したまま例えば時刻を表示できる。
【０００３】
データを処理するよう構成された電子手段にこのようなデータを入力するためのデバイスは数多く知られている。これらのデバイスとしては例えばタッチキーを挙げることができ、各タッチキーは１つの機能に関連付けられている。特許文献１は、クロノメータの開始又は時刻の設定といった機能を起動するための手段を含む上述のようなデバイスを開示している。このようなタッチキーは有利には一般的なプッシュボタンの代替となる。
【０００４】
しかしながらこのような腕時計にはいくつかの欠点がある。これらの欠点のうちの１つは、タッチキーのタッチに対する感受性が極めて高いという事実にある。よって、腕時計のユーザがキーボード上のタッチキーのうち１つを不注意に軽く撫でるだけで、そのキーに対応する文字又は動作を電子データ処理回路が即座に選択及び起動できてしまう。
【０００５】
更に触覚センサは、使用すべき時が来た時に使用できる状態となっているように、電流によって常に給電しておかなければならず、これは電力消費の問題を引き起こす。
【０００６】
タッチスクリーンを備えた腕時計タイプのデバイスも存在する。このようなデバイスは特許文献２に開示されており、デジタルマトリクスディスプレイと、多数の電極を備えたタッチガラスと、電極信号を解釈して機能を選択するための処理回路とを備える。
【０００７】
このようなデバイスの１つの欠点は、腕時計に組み込まれる電子手段が複雑な識別ストラテジを展開しなければならないことであり、これもまた電力消費の問題を引き起こし、デバイスを定期的に充電する必要が生じる。
【０００８】
特許文献３は、時計、特に腕時計を開示しており、この腕時計では、ユーザはタッチパッドによって腕時計の機能のうちの１つを選択でき、タッチスクリーンは、腕時計への機械的圧力の印加によって所望の機能が選択されたこと及び／又はその機能が起動されたことを確認するための歪みゲージと関連付けられている。
【０００９】
このようなデバイスの１つの欠点は、所望の機能の選択及び起動が煩わしいことである。実際にはユーザは、所望の機能を起動できるまでに、腕時計を操作して複数の動作を実施しなければならない。
【先行技術文献】
【特許文献】
【００１０】
【特許文献１】欧州特許第１３９４６４０号
【特許文献２】欧州特許第２４４９４３４号
【特許文献３】欧州特許第１２３５１２２号
【発明の概要】
【発明が解決しようとする課題】
【００１１】
本発明の目的は、これら公知の技術の様々な欠点を克服することである。
【００１２】
より具体的には、本発明の目的は、操作が簡単で、プッシュボタンをもはや必要としない電子デバイスを提供することである。
【００１３】
また、少なくとも１つの特定の実施形態では、本発明の目的は、小型かつ安価なデバイスを提供することである。
【課題を解決するための手段】
【００１４】
これらの目的及び後に更に明らかになるその他の目的は、少なくとも１つの情報を表示できる携帯型電子デバイスを用いて本発明により達成される。上記電子デバイスはユーザの身体の一部分、特に手首に取り付けることができる。上記電子デバイスは：
−下側可撓性要素と基部を有する上側可撓性要素とで形成された半剛性本体を含む、ブレスレット又はストラップ；
−電子アセンブリ；
−少なくとも１つの情報を表示するための表示手段；
−上記電子アセンブリ及び上記表示手段に給電するためのエネルギ源
を含む。
【００１５】
本発明によると、本デバイスは制御手段を含む。この制御手段は好ましくは少なくとも１つの歪みゲージを含み、上記歪みゲージに圧力を印加することによって、上記電子アセンブリに印加される制御信号を生成でき、上記歪みゲージに対する圧力の方向及び位置により、情報の表示及び／又は所定の機能の起動を行うことができる。
【００１６】
単独であっても複数を組み合わせてもよい、本発明の任意の特徴によると：
−上記ブレスレット又はストラップは単一部品であり、円形であり、少なくとも１つの中央部分と２つの側部とを有し；
−上記制御手段は少なくとも２つの歪みゲージを含み；
−上記ブレスレットの各側部に１つの歪みゲージが配置され；
−上記ブレスレットの上記少なくとも１つの中央部分に歪みゲージが配置され；
−電子アセンブリは、少なくとも１つの歪みゲージ又は複数の歪みゲージのセットに印加される、短い押圧と長い押圧とを区別し；
−電子アセンブリは、少なくとも１つの歪みゲージ又は複数の歪みゲージのセットに印加される圧力を検出し；
−所望の機能の確認及び／又は検証は、上記歪みゲージのうちの１つを押圧することによって達成され；
−特に時刻の設定中に、少なくとも１つの歪みゲージ又は複数の歪みゲージのセットに印加される圧力に応じて、時表示がある程度迅速にスクロールされ；
−歪みゲージに対する短い押圧はクロノグラフを起動し、同一の歪みゲージに対する別の押圧はクロノグラフを停止させ；
−２つの歪みゲージに対する垂直方向の長い押圧によってアラーム時刻を選択でき；
−２つの歪みゲージに対する水平方向の長い押圧によって上記電子デバイスを起動させることができ；
−上記制御手段は、可撓性バンドの形態の可撓性本体を含み；
−上記少なくとも１つの歪みゲージは上記可撓性バンド上に接合される。
【００１７】
このように、上述の様々な機能的かつ構造的態様によって、本発明の主題は、信頼性の高い、使用が容易な電子デバイスを提供する。
【００１８】
本発明の他の特徴及び利点は、単なる例示的かつ非限定的な例として挙げられている本発明の具体的実施形態についての以下の説明を読むこと、及び添付の図面を参照することにより、更に明らかになるであろう。
【図面の簡単な説明】
【００１９】
【図１】図１は、本発明による電子デバイスの分解立体図である。
【図２】図２は、本発明による電子デバイスの詳細図である。
【図３】図３は、本発明によるデバイスの斜視図である。
【発明を実施するための形態】
【００２０】
例示的実施形態による電子デバイスについて、図１〜３を合わせて参照して以下に説明する。
【００２１】
上述のように、本発明の一般原則は、腕時計のブレスレット又はストラップに圧力を印加することにより少なくとも１つの所望の機能を選択するための及び／又は上記機能を起動するための少なくとも１つの歪みゲージと関連付けられた、携帯型電子デバイス１、より具体的には腕時計の実装にある。
【００２２】
この例では、デバイス１は、基部１００及び外周縁１０１を有する半剛性のＣ字型要素によって形成された、ブレスレット又はストラップ１０で形成され、これによって電子デバイス１の構成部品を受承できる受承部を形成する。別の実施形態によると、ブレスレットは閉鎖された円形状を有し、ブレスレットは手首上に配置できるよう直径方向に変形できる。
【００２３】
ブレスレット１０は、ユーザの好みに適合するように僅かに変形可能なプラスチック材料で作製でき、金属材料を使用することも想定できる。本発明の範囲内で当業者が他の材料を想定できることも理解されるだろう。
【００２４】
ブレスレット１０の上述のように形成された受承部は、プリント回路基板（ｐｒｉｎｔｅｄ  ｃｉｒｃｕｉｔ  ｂｏａｒｄ：ＰＣＢ）等の電子アセンブリ１２を受承でき、この電子アセンブリ１２は、時刻又は日付等の少なくとも１つの情報を表示するための液晶スクリーン等の表示手段１３、及び例えば擦過傷から液晶スクリーンを保護するために表示手段１３上に配置できる透明材料製の光学接着剤等の固定手段１４と関連付けられている。
【００２５】
液晶スクリーンを照明するための手段をスクリーンの下側に配置してよく、これによってスクリーンをバックライト照明する。
【００２６】
本デバイスはまた、電子アセンブリ１２及び表示手段１３に給電するよう構成されたエネルギ源１１を含む。このエネルギ源は充電式バッテリを含んでよく、このバッテリは、デバイス１の空間要件を制限できる程度に十分に薄い。
【００２７】
よってデバイス１は、デバイス１を電源に接続してバッテリを充電するための、マイクロＵＳＢタイプのコネクタを含んでよい。
【００２８】
本発明によると、スクリーンのサイズ及び解像度は、例えば現在時刻、日付又はバッテリの状態といった複数の情報を同時に表示するために十分なものである。
【００２９】
本発明の特定の実施形態によると、スクリーン／バックライト照明の明るさを環境光に応じて適合させるために、光センサを設けてよい。
【００３０】
デバイス１の制御手段１５は、表示手段１３の上側に位置決めされて電子アセンブリ１２を覆う、上側可撓性フィルムの形態を取り、表示手段１３のために開口１５３が設けられている。デバイス１の複数の構成要素のセットは、ブレスレット１０上に位置決めされた光学接着剤１４を用いて、ブレスレット１０の受承部内の所定の位置に保持される。光学接着剤は好ましくは、歪みゲージ１５０、１５１上で容易に変形できるよう、可撓性かつ変形可能な材料で作製される。
【００３１】
本発明によると、制御手段１５は、情報を表示するため及び／又はある機能を起動するための２つの歪みゲージ１５０、１５１の少なくとも１つのセットを含み、情報の表示及び／又は機能の起動は、歪みゲージ１５０、１５１のうちの少なくとも１つに圧力を印加して、電子アセンブリ１２に送信される制御信号を生成することによって達成される。従って本デバイスは、ある機能を起動するため又は情報を表示するためのプッシュボタンを備えず、デバイスを極めて薄いままとすることができる。
【００３２】
電子アセンブリ１２は特に、歪みゲージ１５０、１５１からの信号を解釈するため、及び上記信号に関連する情報を表示手段１３上に表示するため、又は上記信号に従って複数の利用可能な機能から１つの機能を選択するための、マイクロコントローラとメモリとで形成された処理手段を含み、これら機能は電子アセンブリ１２のメモリに記憶されている。
【００３３】
図１に示すように、電子アセンブリ１２は、バッテリ１１及び歪みゲージ１５０、１５１と協働するよう構成されたコネクタ１２０、１２１を含む。デバイス１の構成要素の上述のような配置により、比較的小型のデバイスが得られる。
【００３４】
図示した例によると、表示手段１３は、電子アセンブリ１２に容易に接続できるよう、電子アセンブリ１２の上側に位置決めされ、これによってデバイス１の空間要件が制限される。
【００３５】
本発明によると、図示したように、制御手段１５は、例えば接合によって歪みゲージ１５０、１５１が取り付けられた可撓性バンドの形態を取る。可撓性バンドはその中央に、表示手段１３用の凹部を有する。有利には、各歪みゲージ１５０、１５１はブレスレット１０の各ストランド上に静置されるよう配設される。
【００３６】
本発明によると、携帯型電子デバイス１はまた、ブレスレット１０の中央かつ電子アセンブリ１２の下側に配設された歪みゲージ１５２を含み、このゲージは電子アセンブリ１２と直接協働する。
【００３７】
歪みゲージ１５０、１５１、１５２のこのような配置により、歪みゲージに印加された圧力の複数の方向及び位置を区別でき、これにより上記複数の方向及び位置を異なる機能に割り当てることができる。
【００３８】
本発明によると、電子アセンブリ１２は、少なくとも１つの歪みゲージ１５０又は複数の歪みゲージのセット１５０／１５１、１５０／１５２若しくは１５１／１５２に印加される、短い押圧と長い押圧とを区別できる。本発明のこの態様により、デバイスの実現可能な機能の数を増大させることができる。
【００３９】
本発明の特に単純な態様によると、所望の機能の確認及び／又は検証は、上記歪みゲージ１５０、１５１、１５２のうちの１つを押圧することによって達成される。
【００４０】
例えば歪みゲージ１５０、１５１又は１５２に対して印加される１回の短い押圧は、クロノグラフの起動に関連付けることができ、同一の歪みゲージに対する別の押圧はクロノグラフを停止させる。
【００４１】
実現可能な機能の別の例によると、２つの歪みゲージ１５０、１５２に対する１回の垂直方向の長い押圧は、アラーム時刻の選択へのアクセスを提供する。歪みゲージに印加される圧力は、図３に示すように矢印Ｈの方向に水平に、又は同様に矢印Ｖの方向に垂直に印加できることは明らかである。機能の起動は、機能がどのようにプログラムされているかによって決まる。
【００４２】
２つの歪みゲージ１５０、１５１に対する１回の水平方向の長い押圧によって電子デバイスを起動させるよう、機能を設定することもできる。
【００４３】
歪みゲージ１５０、１５１、１５２それぞれに対する１回の長い又は短い押圧に対して、機能を割り当てることもできる。従って、歪みゲージ１５２に対する１回の長い押圧は、例えば液晶スクリーンの照明を起動してよい。
【００４４】
本発明によると、電子アセンブリ１２は、少なくとも１つの歪みゲージ１５０、１５１、１５２又は複数の歪みゲージのセットに印加された圧迫力を検出する。１つ又は複数の歪みゲージ１５０、１５１、１５２に印加された上記力の検出は、メモリに事前に記憶された閾値を跨ぐことによって達成してよい。
【００４５】
印加された力の検出により、例えば時刻設定中に時表示をスクロールする等のその他の機能を実装できる。時表示は、少なくとも１つの歪みゲージ又は複数の歪みゲージ１５０、１５１、１５２のセットに印加される圧力に応じて、ある程度迅速にスクロールされる。
【００４６】
従って、当業者には公知である全ての機能を電子アセンブリ１２のメモリに記憶させてよく、歪みゲージ１５０、１５１、５１２を用いて容易に起動できる。
【００４７】
電子デバイス１は、以下のように組み立てられる。液晶スクリーン１３、バッテリ１１をＰＣＢ１２に組み付け、続いて光学接着剤１４を用いて上側フィルム１５に固定する。図示した実施形態によると、歪みゲージ１５０、１５１、１５２を上側フィルム１５に固定し、ＰＣＢ１２に接続する。次に、全ての電子回路を備えるこの要素を、上側フィルム１５の全外周縁に亘って、各歪みゲージ１５０、１５１、１５２の下側において、ブレスレット１００に接合し、これにより、上記ゲージがブレスレット１００に固定され、ブレスレット１００の変形を測定できることが保証される。
【００４８】
図示されていない別の実施形態によると、歪みゲージ１５０、１５１、１５２は溶接によってＰＣＢ１２に固定される。
【００４９】
デバイスを少なくとも耐水性とするために、デバイス１の組み立て中に特定の接着剤を使用してよい。
【００５０】
本発明の様々な態様により、ユーザにとって操作及び使用が容易な、機能を起動させるためにプッシュボタンを操作する必要のない電子デバイス１が提供される。
【００５１】
当然のことながら、当業者は、以下の請求項によって定義される本発明の範囲から逸脱することなく、他の実施形態を想定してよい。
【符号の説明】
【００５２】
１  携帯型電子デバイス
１０  ブレスレット又はストラップ
１００  ブレスレットの基部
１０１  ブレスレットの外周縁
１１  バッテリ
１２  電子アセンブリ
１２０、１２１  コネクタ
１３  表示手段
１４  光学接着剤
１５  可撓性上側フィルム
１５０、１５１、１５２  歪みゲージ
１５３  開口
Ｈ  水平方向の圧力
Ｖ  垂直方向の圧力
【図１】
2016017960.tif 000003
【図２】
2016017960.tif 000004
【図３】
2016017960.tif 000005